【事件の表示】
　平成　５年特許願第１８２４２５号「発電プラントの給水装置」拒絶査定に対する審判事件〔平成　７年　２月　７日出願公開、特開平　７−　３５３０９、請求項の数（６）〕について、次のとおり審決する。
【結　論】
　原査定を取り消す。
　本願の発明は、特許すべきものとする。
【理　由】
１．手続の経緯・本願発明
　本願は、平成５年７月２３日の出願であって、その請求項１乃至請求項６に係る発明は、平成１２年８月２８日付け手続補正書によって補正されたその特許請求の範囲に記載された次のとおりのものである。
　
「【請求項１】　給水を蒸気発生装置に供給して蒸気を発生し、蒸気を主タービンに与えて発電機を駆動するとともに、給水を蒸気発生装置に供給するための給水ポンプが蒸気で駆動される給水ポンプタービンとされた発電プラントの給水装置において、給水ポンプタービンを駆動するための蒸気供給配管として、主タービン抽気を導く主タービン抽気配管，高圧蒸気を導く高圧補助蒸気配管，低圧蒸気を導く低圧補助蒸気配管を備え、通常起動時には低圧補助蒸気配管から低圧蒸気を供給して給水ポンプタービンを駆動した後に主タービン抽気配管に切替て給水ポンプタービンを駆動し、前記発電機停止後の急速再起動時には、高圧補助蒸気配管から高圧蒸気を供給して給水ポンプタービンを駆動し、所定の負荷になったら主タービン抽気配管に切替て給水ポンプタービンを駆動する制御装置を備えたことを特徴とする発電プラントの給水装置。
　【請求項２】　給水を蒸気発生装置に供給して蒸気を発生し、蒸気を主タービンに与えて発電機を駆動するとともに、給水を蒸気発生装置に供給するための給水ポンプが蒸気で駆動される給水ポンプタービンとされた発電プラントの給水装置において、給水ポンプタービンを駆動するための蒸気供給配管として、主タービン抽気を導く主タービン抽気配管，高圧蒸気を導くとともに加減弁を有する高圧補助蒸気配管を備え、通常起動時には高圧補助蒸気配管から供給される蒸気圧力を加減弁を用いて低減して供給した後に主タービン抽気配管に切替て給水ポンプタービンを駆動し、前記発電機停止後の急速再起動時には、高圧補助蒸気配管から高圧蒸気を供給して給水ポンプタービンを駆動し、所定の負荷になったら主タービン抽気配管に切替て給水ポンプタービンを駆動することを特徴とする発電プラントの給水装置。
　【請求項３】　蒸気を発生させる蒸気発生装置と、該蒸気発生装置で発生した蒸気によって駆動されるタービンと、該タービンによって駆動される発電機と、前記蒸気発生装置に給水を供給する給水装置とを有する発電プラントにおいて、前記給水装置は、前記タービンから抽気された蒸気又は前記蒸気発生装置から供給される蒸気によって駆動される給水ポンプタービンを備え、前記蒸気発生装置に給水を供給する給水ポンプと、前記給水ポンプタービンを駆動する蒸気供給配管として、前記タービンの抽気を導くタービン抽気配管と、高圧蒸気を導く高圧補助蒸気配管と、低圧蒸気を導く低圧補助蒸気配管とを有し、通常起動時には低圧補助蒸気配管から低圧蒸気を供給して給水ポンプタービンを駆動した後にタービン抽気配管に切替て給水ポンプタービンを駆動し、前記発電機停止後の急速再起動時には、高圧補助蒸気配管から高圧蒸気を供給して給水ポンプタービンを駆動し、所定の負荷になったらタービン抽気配管に切替て給水ポンプタービンを駆動する制御装置を備えたことを特徴とする発電プラント。
　【請求項４】　蒸気を発生させる蒸気発生装置と、該蒸気発生装置で発生した蒸気によって駆動されるタービンと、該タービンによって駆動される発電機と、前記蒸気発生装置に給水を供給する給水装置とを有する発電プラントにおいて、前記給水装置は、前記タービンから抽気された蒸気又は前記蒸気発生装置から供給される蒸気によって駆動される給水ポンプタービンを備え、前記蒸気発生装置に給水を供給する給水ポンプと、前記給水ポンプタービンを駆動する蒸気供給配管として、前記タービン抽気を導く主タービン抽気配管と、加減弁が設置され高圧蒸気を導く高圧補助蒸気配管とを有し、　通常起動時には高圧補助蒸気配管から供給される蒸気圧力を加減弁を用いて低減して供給した後にタービン抽気配管に切替て給水ポンプタービンを駆動し、前記発電機停止後の急速再起動時には、高圧補助蒸気配管から高圧蒸気を供給して給水ポンプタービンを駆動し、所定の負荷になったらタ一ビン抽気配管に切替て給水ポンプタービンを駆動する制御装置を備えたことを特徴とする発電プラント。
　【請求項５】　給水を蒸気発生装置に供給して蒸気を発生し、蒸気を主タービンに与えて発電機を駆動するとともに、給水を蒸気発生装置に供給するための給水ポンプが蒸気で駆動される給水ポンプタービンを備えた発電プラントの給水装置の運転方法において、給水ポンプタービンを駆動するための蒸気供給配管として、主タービン抽気を導く主タービン抽気配管，高圧蒸気を導く高圧補助蒸気配管，低圧蒸気を導く低圧補助蒸気配管を備え、通常起動時には低圧補助蒸気配管から低圧蒸気を供給して給水ポンプタービンを駆動した後に主タービン抽気配管に切替て給水ポンプタービンを駆動し、前記発電機停止後の急速再起動時には高圧補助蒸気配管から高圧蒸気を供給して給水ポンプタービンを駆動し、所定の負荷になったら主タービン抽気配管に切替て給水ポンプタービンを駆動することを特徴とする発電プラントの給水装置の運転方法。
　【請求項６】　蒸気を発生させる蒸気発生装置と、該蒸気発生装置で発生した蒸気によって駆動されるタービンと、該タービンによって駆動される発電機と、前記蒸気発生装置に給水を供給する給水装置とを有し、前記給水装置は、前記タービンから抽気された蒸気又は前記蒸気発生装置から供給される蒸気によって駆動される給水ポンプタービンを備え、前記蒸気発生装置に給水を供給する給水ポンプと、前記給水ポンプタービンを駆動する蒸気供給配管として、前記タービンの抽気を導くタービン抽気配管と、高圧蒸気を導く高土補助蒸気配管と、低圧蒸気を導く低圧補助蒸気配管とを備えた発電プラントの運転方法において、通常起動時には低圧補助蒸気配管から低圧蒸気を供給して給水ポンプタービンを駆動した後にタービン抽気配管に切替て給水ポンプタービンを駆動し、前記発電機停止後の急速再起動時には、高圧補助蒸気配管から高圧蒸気を給水ポンプタービンに導いて該給水ポンプタービンを駆動するとともに前記蒸気発生装置への給水を開始して、前記蒸気発生装置を再点火し、その発生蒸気により前記タービンを駆動し、前記給水ポンプタービンが運転可能なタービンの抽気圧力を確保できる負荷になったら、前記タービン抽気配管に切替て給水ポンプタービンを駆動することを特徴とする発電プラントの運転方法。」
　
　以下、請求項１に係る発明を「本願発明１」、請求項２に係る発明を「本願発明２」、請求項３に係る発明を「本願発明３」、請求項４に係る発明を「本願発明４」、請求項５に係る発明を「本願発明５」、請求項６に係る発明を「本願発明６」という。
　
２．引用文献に記載された発明
　これに対して、原審での拒絶査定の理由となった拒絶理由に引用された文献は、特開昭６２−３７６０３号公報であり、この引用文献には、ボイラ給水ポンプ駆動タービンの蒸気制御装置に関して、図面とともに、
「ＦＣＢ運転機能とは、今更いうまでもなく送電系統側での不測の事故等により運転中の発電所からの送電が不可能となった場合に、当該運転中の発電所（ユニット）を停止することなく、速かに所内負荷相当の極低負荷運転に移行して運転を継続・持続し、送電系統側が復旧した後に速かに要求負荷を送電するための、急速負荷絞り機能を言う。　火力発電プラントは一旦停止してしまうと、次回の起動に際して不可避的に膨大な起動損失を伴なうため、上記ＦＣＢ機能は省エネルギーの観点からも、是非とも具備すべき機能である。」（第１頁下段右欄第６行〜同第１７行）こと、
「第２図に従来のボイラ給水ポンプ駆動タービン（ＢＦＰ・Ｔ）の駆動蒸気系統を示す。タービン駆動給水ポンプ（Ｔ−ＢＦＰ）１を駆動するボイラ給水ポンプ駆動タービン（ＢＦＰ・Ｔ）２は、その駆動蒸気系統として、通常運転中に使用するタービンＴおよび発電機Ｇの主タービン抽気系統３の他に、起動時及び極低負荷又はＦＣＢ時等の主タービン抽気系統３が使用出来ないときに使用する補助蒸気系統４を有し、更に通常運転からＦＣＢ運転に移行する際、過渡的に使用する高圧主蒸気系統５を有するものもある。」（第２頁上段左欄第１６行〜同右欄第６行）こと、
「第３図において点”Ａ”は定格負荷におけるＴ−ＢＦＰ運転点、点”Ｂ”は定格負荷運転時からＦＣＢ運転に移行する際の過渡的な運転点、点”Ｃ”はユニット起動過程に通過する運転点を示す。又、Ｂ’はＦＣＢ整定後の運転点を示す。そして、前述のように点”Ａ”では主タービン抽気により、点”Ｂ”では高圧主蒸気系統及び補助蒸気系統により、点”Ｂ’及びＣ”では補助蒸気系統によりＢＦＰ−Ｔは駆動される。」（第２頁下段左欄第１０行〜同第１８行）こと、
「またタービン駆動給水ポンプ（Ｔ−ＢＦＰ）によるユニット起動時は、補助蒸気系統４から補助蒸気圧力制御弁６および逆止弁Ｖ２を通して供給される補助蒸気によって駆動される。さらに通常運転からＦＣＢ運転に移行する際に、過渡的に使用する高圧主蒸気系統５から高圧蒸気止め弁ＨＰ−ＭＳＶおよび高圧蒸気加減弁ＨＰ−ＣＶを通して供給される高圧蒸気によっても駆動されるように構成されている。」（第３頁下段左欄第２行〜同第９行）こと、
「したがって、いまＴ−ＢＦＰによるユニット起動時などで蒸気量が少なくてよい場合は、設定値１に切替えて制御し、主タービン抽気との切替えを円滑に低い負荷帯で行なって高効率運転を行なう。また、ＦＣＢ運転時などの蒸気量などの蒸気量を多量に必要とする場合には、設定値２に切替えて制御する。この結果、ＢＦＰ・Ｔの低圧蒸気下限弁ＬＰ−ＣＶの一次圧力が上昇するため、ＢＦＰ・Ｔは多量の蒸気利用を吸込むことができる。」（第３頁下段右欄第１行〜同第９行）こと、
が記載されている。
　
４．当審の判断
・本願発明１について
　本願発明１と上記引用文献とを対比し、検討する。
　上記引用文献に記載されたものは、発電プラントのボイラ給水ポンプ１を、主タービン抽出系統３、補助蒸気系統４、高圧蒸気系統５の蒸気を用いて、通常運転時（運転点”Ａ”）には主タービン抽気系統３の蒸気により、発電所の起動過程時（運転点”Ｃ”）には補助蒸気系統４の蒸気により、通常運転時からＦＣＢ運転に移行する際の過渡的運転時（運転点”Ｂ”）には高圧蒸気系統５及び補助蒸気系統４の蒸気により、ボイラ給水ポンプ駆動タービン２を駆動することによって、駆動するものといえるから、該引用文献には、
「給水を蒸気発生装置に供給して蒸気を発生し、蒸気を主タービンＴに与えて発電機Ｇを駆動するとともに、給水を蒸気発生装置に供給するための給水ポンプ１が蒸気で駆動される給水ポンプタービン２とされた発電プラントの給水装置において、給水ポンプタービン２を駆動するための蒸気供給管として、主タービン抽気を導く主タービン抽気配管、高圧蒸気を導く高圧補助蒸気配管、低圧蒸気を導く低圧補助蒸気配管を備え、通常起動時には低圧補助蒸気配管から低圧蒸気を供給して給水ポンプタービン２を駆動した後に主タービン抽気配管に切替えて給水ポンプタービン２を駆動する発電プラントの給水装置。」
の構成が記載されているものといえる。
　
　しかし、本願発明１は、該構成に、さらに、「前記発電機停止後の急速再起動時には、高圧補助蒸気配管から高圧蒸気を供給して給水ポンプタービンを駆動し、所定の負荷になったら主タービン抽気配管に切替て給水ポンプタービンを駆動する制御装置を備えたこと」を発明の構成要件としているものである。
　そして、上記引用文献には、高圧蒸気系統５が記載されているものの、該高圧蒸気系統５は、送電線系統に事故等が発生したときに、発電プラントの負荷を低減して運転を継続する所謂ＦＣＢ運転に移行する過渡的な運転時に使用されるものであって、本願発明１のように「発電機停止後の急速再起動時」の高圧蒸気系統とはいえないし、また、該高圧蒸気系統５を、ボイラトリップしたときに再起動させるためのタービン駆動給水ポンプへの供給に使用することについての記載も示唆もされていない。
　
　また、本願発明１は、明細書に記載された効果を奏するものということができる。
　
　したがって、本願発明１は、上記引用文献に記載された発明に基づいて、当業者が容易に発明をすることができたものということはできない。
　
・本願発明２について
　本願発明２と上記引用文献に記載されたものとを対比し、検討する。
　上記引用文献に記載されたものは、発電プラントのボイラ給水ポンプ１を、主タービン抽出系統３、補助蒸気系統４、高圧蒸気加減弁ＨＰ−ＣＶを有する高圧蒸気系統５の蒸気を用いて、通常運転時（運転点”Ａ”）には主タービン抽気系統３の蒸気により、発電所の起動過程時（運転点”Ｃ”）には補助蒸気系統４の蒸気により、通常運転時からＦＣＢ運転に移行する際の過渡的運転時（運転点”Ｂ”）には高圧蒸気系統５及び補助蒸気系統４の蒸気により、ボイラ給水ポンプ駆動タービン２を駆動することによって、駆動するものといえるから、該引用文献には、
「給水を蒸気発生装置に供給して蒸気を発生し、蒸気を主タービンに与えて発電機を駆動するとともに、給水を蒸気発生装置に供給するための給水ポンプが蒸気で駆動される給水ポンプタービンとされる発電プラントの給水装置において、給水ポンプタービンを駆動するための蒸気供給配管として、主タービン抽気を導く主タービン抽気配管、高圧蒸気を導くとともに加減弁を有する高圧補助蒸気配管を備えた発電プラントの給水装置。」
の構成が記載されているものといえる。
　
　しかし、本願発明２は、該構成に、さらに、「通常起動時には高圧補助蒸気配管から供給される蒸気圧力を加減弁を用いて低減して供給した後に主タービン抽気配管に切替て給水ポンプタービンを駆動し、前記発電機停止後の急速再起動時には、高圧補助蒸気配管から高圧蒸気を供給して給水ポンプタービンを駆動し、所定の負荷になったら主タービン抽気配管に切替て給水ポンプタービンを駆動すること」を発明の構成要件としている。
　
　上記引用文献に記載された高圧蒸気系統５は、送電線系統に事故等が発生したときに、発電プラントの負荷を低減して運転を継続する所謂ＦＣＢ運転に移行する過渡的な運転時に使用されるものであって、通常起動時に使用されるものではないし、また、該高圧蒸気系統５を、ボイラトリップしたときに再起動させるためのタービン駆動給水ポンプへの供給に使用することについての記載も示唆もされていないから、該高圧蒸気系統５が「発電機停止後の急速再起動時」に使用されるものともいえない。
　
　そうしてみると、本願発明２は、上記引用文献に記載された発明に基づいて、当業者が容易に発明をすることができたものということはできない。
　
・本願発明３について
　本願発明３は、本願発明１の構成要件を「発電プラント」にして表現を変えた発明であるので、上記「・本願発明１について」において検討したように、上記引用文献には、本願発明３の構成要件である、「前記発電機停止後の急速再起動時には、高圧補助蒸気配管から高圧蒸気を供給して給水ポンプタービンを駆動し、所定の負荷になったらタービン抽気配管に切替て給水ポンプタービンを駆動する制御装置を備えたこと」の構成が記載されていない。
　
　したがって、本願発明３は、上記引用文献に記載された発明に基づいて、当業者が容易に発明をすることができたものということはできない。
　
・本願発明４について
　本願発明４は、本願発明２の構成要件を「発電プラント」にして表現を変えた発明あるので、上記「・本願発明２について」において検討したように、上記文献には、本願発明４の構成要件である、「通常起動時には高圧補助蒸気配管から供給される蒸気圧力を加減弁を用いて低減して供給した後にタービン抽気配管に切替て給水ポンプタービンを駆動し、前記発電機停止後の急速再起動時には、高圧補助蒸気配管から高圧蒸気を供給して給水ポンプタービンを駆動し、所定の負荷になったらタービン抽気配管に切替て給水ポンプタービンを駆動する制御装置を備えたこと」の構成が記載されていない。
　
　したがって、本願発明４は、上記引用文献に記載された発明に基づいて、当業者が容易に発明をすることができたものということはできない。
　
・本願発明５について
　本願発明５は、本願発明１を「運転方法」として表現した発明であるから、上記「・本願発明１について」において検討したように、上記引用文献には、本願発明５の構成要件である、「前記発電機停止後の急速再起動時には、高圧補助蒸気配管から高圧蒸気を供給して給水ポンプタービンを駆動し、所定の負荷になったら主タービン抽気配管に切替て給水ポンプタービンを駆動すること」の構成が記載されていない。
　
　したがって、本願発明５は、上記引用文献に記載された発明に基づいて、当業者が容易に発明をすることができたものということはできない。
　
・本願発明６について
　本願発明６は、本願発明３を「運転方法」として表現を変えた発明であるから、上記「・本願発明３について」及び「・本願発明１について」において検討したように、上記引用文献には、本願発明６の構成要件である、「前記発電機停止後の急速再起動時には、高圧補助蒸気配管から高圧蒸気を給水ポンプタービンに導いて該給水ポンプタービンを駆動するとともに前記蒸気発生装置への給水を開始して、前記蒸気発生装置を再点火し、その発生蒸気により前記タービンを駆動し、前記給水ポンプタービンが運転可能なタービンの抽気圧力を確保できる負荷になったら、前記タービン抽気配管に切替て給水ポンプタービンを駆動すること」の構成記載がされていない。
　
　したがって、本願発明６は、上記引用文献に記載された発明に基づいて、当業者が容易に発明をすることができたものということはできない。
　
５．むすび
　以上のとおりであるから、本願発明１乃至本願発明６は、上記引用文献に記載された発明に基づいて当業者が容易に発明をすることができたものではないから、本願発明１乃至本願発明６が特許法第２９条第２項の規定により特許を受けることができないとした原査定の判断は妥当ではない。
　
　また、他に本願を拒絶すべき理由を発見しない。
　
　よって、結論のとおり審決する。